(57)【要約】      （修正有）【課題】コストをかけることなく、屋内で移動しながらでも移動受信機向け放送を受信し、テレビ視聴を行うことが可能な携帯受信機を提供する。また、これを可能とするためのデジタル放送受信装置を提供する。【解決手段】チューナ１１では、操作部１６からの入力に応じた選局を行う。復調部１２は、チューナ１１で選局された信号に対し、ＯＦＤＭ復調を行う。ＴＳデマルチプレクサ１３は、ＴＳパケットを目的別に分離し、所定の処理を行う。無線送受信部１５は、外部に対して無線信号を送信する。例えば、復調部１２での復調により得られた、ＴＳパケット信号を、無線信号（Ｂｌｕｅｔｏｏｔｈ方式など）により、携帯電話機２などに対して送信する。【選択図】図２
2006165934.tif 000002
【特許請求の範囲】
【請求項１】
デジタル放送受信装置と、前記デジタル放送受信装置と通信可能な携帯端末と、を有するデジタル放送受信システムであって、
前記デジタル放送受信装置は、
放送波を受信する第１受信部と、
前記第１受信部が受信した放送波から、所定のチャンネルの放送信号を抽出する選局部と、
前記選局部の出力信号を復調してＴＳパケット信号を出力する第１復調部と、
前記第１復調部で得られたＴＳパケット信号から、移動受信向けデジタル放送用のパケット信号を抽出する抽出部と、
前記抽出部が抽出した信号を、所定の変調信号に変調する変調部と、
前記変調部で変調された信号を前記携帯端末に送信する送信部と、を有し、
前記携帯端末は、
映像信号及び／又は音声信号を出力する映像音声出力部と、
前記デジタル放送受信装置の前記送信部からの信号を受信する第２受信部と、
前記第２受信部が受信した信号を復調してＴＳパケット信号を出力する第２復調部と、
前記第２復調部から出力されたＴＳパケット信号に基づいて、前記映像音声出力部から出力する映像信号及び／又は音声信号を生成する映像音声信号生成部と、を有する、デジタル放送受信システム。
【請求項２】
デジタル放送受信装置と、前記デジタル放送受信装置と通信可能な携帯端末と、を有するデジタル放送受信システムであって、
前記デジタル放送受信装置は、
放送波を受信する第１受信部と、
前記第１受信部が受信した放送波から、所定のチャンネルの放送信号を抽出する第１選局部と、
前記第１選局部の出力信号を復調してＴＳパケット信号を出力する第１復調部と、
前記第１復調部で得られたＴＳパケット信号から、移動受信向けデジタル放送用のパケット信号を抽出する抽出部と、
前記抽出部が抽出した信号を、所定の変調信号に変調する変調部と、
前記変調部で変調された信号を前記携帯端末に送信する送信部と、を有し、
前記携帯端末は、
映像信号及び／又は音声信号を出力する映像音声出力部と、
前記デジタル放送受信装置の前記送信部からの信号を受信する第２受信部と、
前記第２受信部が受信した信号を復調してＴＳパケット信号を出力する第２復調部と、
放送波を受信する第３受信部と、
前記第３受信部が受信した放送波から、チャンネルの選局を行う第２選局部と、
前記第２選局部の出力信号を復調してＴＳパケット信号を出力する第３復調部と、
前記第２復調部により得られたＴＳパケット信号、前記第３復調部により得られたＴＳパケット信号のいずれかを選択して出力する選択出力部と、
前記選択出力部から出力されたＴＳパケット信号に基づいて、前記映像音声出力部から出力する映像信号及び／又は音声信号を生成する映像音声信号生成部と、を有する、デジタル放送受信システム。
【請求項３】
放送波を受信する第１受信部と、
デジタル放送信号を含む無線信号を受信する第２受信部と、
映像信号及び／又は音声信号を出力する映像音声出力部と、
前記第１受信部が受信した放送波から、所定のチャンネルの放送信号を抽出する選局部と、
前記選局部の出力信号を復調してＴＳパケット信号を出力する第１復調部と、
前記第２受信部が受信した無線信号を復調してＴＳパケット信号を出力する第２復調部と、
前記第１復調部により得られたＴＳパケット信号、前記第２復調部により得られたＴＳパケット信号のいずれかを選択して出力する選択出力部と、
前記選択出力部から出力されたＴＳパケット信号に基づいて、前記映像音声出力部から出力する映像信号及び／又は音声信号を生成する映像音声信号生成部と、を有することを特徴とする携帯端末。
【請求項４】
ユーザの入力を受け付ける操作部を有し、
前記選択出力部は、前記操作部からの入力に基づいて、出力するＴＳパケット信号を選択することを特徴とする、請求項３記載の携帯端末。
【請求項５】
前記選択出力部は、前記第１受信部が受信した放送波の信号強度と、前記第２受信部が受信した無線信号の信号強度に基づいて、出力するＴＳパケット信号を選択することを特徴とする、請求項３記載の携帯端末。
【請求項６】
前記選択出力部は、前記第１復調部、及び、前記第２復調部により得られたＴＳパケット信号に含まれるＳＩ情報及び／又はＰＳＩ情報が取得できたか否かに基づいて、出力するＴＳパケット信号を選択することを特徴とする、請求項３記載の携帯端末。
【請求項７】
前記選択出力部は、当該携帯端末の電源起動時に、出力するＴＳパケット信号を選択することを特徴とする、請求項３ないし６の何れか１項に記載の携帯端末。
【請求項８】
前記選択出力部は、当該携帯端末のテレビ視聴モードが起動された時に、出力するＴＳパケット信号を選択することを特徴とする、請求項３ないし６の何れか１項に記載の携帯端末。
【請求項９】
放送波を受信する受信部と、
前記受信部が受信した放送波から、所定のチャンネルの放送信号を抽出する選局部と、
前記選局部の出力信号を復調してＴＳパケット信号を出力する復調部と、
前記復調部で得られたＴＳパケット信号から、移動受信向けデジタル放送用のパケット信号を抽出する抽出部と、
前記抽出部が抽出した信号を、所定の変調信号に変調する変調部と、
前記変調部で変調された信号を外部に送信する送信部と、を有する、デジタル放送受信装置。
【請求項１０】
移動受信向けデジタル放送波を受信可能な携帯端末からの信号を受信する第２受信部を有し、
前記第２受信部が受信した前記携帯端末からの信号が、デジタル放送信号の送信を要求する旨の信号であったとき、
前記送信部は、前記変調部で変調された信号を、前記携帯端末に送信することを特徴とする、請求項９記載のデジタル放送受信装置。
【請求項１１】
前記デジタル放送受信装置が使用中であれば、前記携帯端末に対し、当該デジタル放送受信装置が使用中である旨を通知する、請求項９又は１０記載のデジタル放送受信装置。
【請求項１２】
前記携帯端末に対し、当該デジタル放送受信装置により選局されているチャンネルの情報を通知する、請求項９ないし１１の何れか１項に記載のデジタル放送受信装置。
【請求項１３】
前記携帯端末に対し、当該デジタル放送受信装置により選局されているチャンネルの視聴を希望するか否かを問い合わせる、請求項１１又は１２に記載のデジタル放送受信装置。
【請求項１４】
移動受信向けデジタル放送波を受信可能な携帯端末からの信号を受信する受信部を有し、
前記受信部が受信した前記携帯端末からの信号が、前記選局部により選局されているチャンネルとは異なるチャンネルを指定する信号であったとき、前記選局部は、前記携帯端末からの信号を優先してチャンネルの選局を行う、請求項９記載のデジタル放送受信装置。
【請求項１５】
放送波を受信する受信部と、
前記受信部が受信した放送波から、所定のチャンネルの放送信号を抽出する第１選局部、及び第２選局部と、
前記第１選局部の出力信号を復調してＴＳパケット信号を出力する第１復調部と、
前記第２選局部の出力信号を復調してＴＳパケット信号を出力する第２復調部と、
前記第１復調部又は前記第２復調部の何れかで得られたＴＳパケット信号から、移動受信向けデジタル放送用のパケット信号を抽出する抽出部と、
前記抽出部が抽出した信号を、所定の変調信号に変調する変調部と、
前記変調部で変調された信号を外部に送信する送信部と、を有し、
前記受信部が受信した前記携帯端末からの信号が、前記選局部により選局されているチャンネルとは異なるチャンネルを指定する信号であったとき、前記第１選局部、第２選局部のうち使用中でない選局部により、携帯端末からの信号に基づいてチャンネルの選局を行う、デジタル放送受信装置。
【請求項１６】
請求項９ないし１５の何れか１項に記載のデジタル放送受信装置と通信可能な携帯端末であって、
ユーザの入力を受け付ける操作部を有し、
前記操作部から入力された、前記ユーザが視聴を希望するチャンネルに関する情報を、前記デジタル放送受信装置へ送信することが可能である、請求項３ないし８の何れか１項に記載の携帯端末。
【発明の詳細な説明】
【技術分野】
【０００１】
この発明は、デジタル放送受信システム、携帯端末、及び、デジタル放送受信装置に関する。
【背景技術】
【０００２】
２００３年１２月、東名阪地区において、地上デジタルテレビ放送が開始された。地上デジタルテレビ放送は、（１）アナログ放送に比べて高品質な映像や音声、（２）マルチパスに強いＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）方式を採用しておりゴーストに強い、（３）データの送受信が容易で双方向性を持たせることができる、などの特長があり、据え置きテレビ向けのハイビジョン放送・データ放送サービスが実施されている。
【０００３】
地上デジタルテレビ放送では、その伝送規格から移動受信機向け放送サービスも可能となっており、近い将来には携帯受信機向けの放送サービスが実施される予定である。移動受信機向け放送サービスが開始されると、モバイル環境でのテレビ視聴が可能になる。
【０００４】
日本の地上デジタルテレビ放送では、テレビジョン放送と音声放送の共通性を考慮してＩＳＤＢ−Ｔ(Ｉｎｔｅｇｒａｔｅｄ  Ｓｅｒｖｉｃｅｓ  Ｄｉｇｉｔａｌ Ｂｒｏａｄｃａｓｔｉｎｇ ｆｏｒ Ｔｅｒｒｅｓｔｒｉａｌ)方式が採用されている。ＩＳＤＢ−Ｔ方式では、固定受信向け番組と移動受信向け番組などが混在する編成を可能にするため、周波数分割による階層伝送を行っている。即ち、１つのチャンネル（５．６ＭＨｚの帯域）を１３個のセグメントに分割することで、複数の放送サービスを同時に行うことができる。１３セグメントのうち、中央の１セグメントは、各種の制御信号、データ放送用の信号、移動向け受信番組用の映像／音声信号等の伝送に使用される。他の１２セグメントは、移動受信向け番組用の映像／音声信号等の伝送に使用される。移動受信機向け放送サービスは、１３セグメントのうち、中央に配置された１つのセグメントを使って行い、固定受信向け放送サービスは、１３セグメントの全てを使用して行われる。
【特許文献１】特開２００４―１１２０７９号公報
【特許文献２】特開２００２−９４４０２号公報
【非特許文献１】伊藤鶴美他３名，「地上デジタル放送対応携帯電話機」，三洋電機技報，Ｖｏｌ．３６，Ｊｕｎｅ  ２００４，通巻第７４号
【非特許文献２】佐多正博，「携帯端末向け地上デジタル放送サービスと受信機」，映像情報メディア学会誌，Ｖｏｌ．５８，Ｎｏ．５、ｐｐ６４３−６４６、２００４
【発明の開示】
【発明が解決しようとする課題】
【０００５】
しかしながら、上記の携帯受信機で地上デジタルテレビ放送を受信する場合、携帯受信機の小型化されたアンテナなどのため、十分な受信感度が確保できないことがある。また、屋内の場合だと、受信感度が低下するので、携帯受信機でのテレビ視聴は困難である。
【０００６】
そこで、固定用ＵＨＦアンテナを利用して放送波を受信し、その受信信号を携帯受信機に転送することで、携帯受信機でのテレビ視聴を可能にさせることが考えられる。しかし、通常ＵＨＦアンテナの端子は屋内の壁などに固定されているので、携帯受信機によりテレビ視聴を行うには、受信機をＵＨＦアンテナ端子に有線接続する必要がある。したがって、室内で移動しながら携帯受信機によりテレビ視聴することは困難である。
【０００７】
そこで、移動受信機向け放送を受信し、これを復調し、無線（ＩＥＥＥ８０２．１１ａ／ｂ／ｇ、或いはＢｌｕｅｔｏｏｔｈ（登録商標）など）より再送信することも考えられる。しかし、このような再送信装置を新たに設置することは、利用者にとってコストがかかるという負担が生じる。
【０００８】
そこで、本願発明は、コストをかけることなく、屋内で移動しながらでも移動受信機向け放送を受信し、テレビ視聴を行うことが可能な携帯受信機を提供することを目的とする。また、これを可能とするためのデジタル放送受信装置を提供することを目的とする。
【課題を解決するための手段】
【０００９】
請求項１は、デジタル放送受信装置と、前記デジタル放送受信装置と通信可能な携帯端末と、を有するデジタル放送受信システムに関する。前記デジタル放送受信装置は、放送波を受信する第１受信部と、前記第１受信部が受信した放送波から、所定のチャンネルの放送信号を抽出する選局部と、前記選局部の出力信号を復調してＴＳパケット信号を出力する第１復調部と、前記第１復調部で得られたＴＳパケット信号から、移動受信向けデジタル放送用のパケット信号を抽出する抽出部と、前記抽出部が抽出した信号を、所定の変調信号に変調する変調部と、前記変調部で変調された信号を前記携帯端末に送信する送信部と、を有する。前記携帯端末は、映像信号及び／又は音声信号を出力する映像音声出力部と、前記デジタル放送受信装置の前記送信部からの信号を受信する第２受信部と、前記第２受信部が受信した信号を復調してＴＳパケット信号を出力する第２復調部と、前記第２復調部から出力されたＴＳパケット信号に基づいて、前記映像音声出力部から出力する映像信号及び／又は音声信号を生成する映像音声信号生成部と、を有する。
【００１０】
請求項２は、デジタル放送受信装置と、前記デジタル放送受信装置と通信可能な携帯端末と、を有するデジタル放送受信システムに関する。前記デジタル放送受信装置は、放送波を受信する第１受信部と、前記第１受信部が受信した放送波から、所定のチャンネルの放送信号を抽出する第１選局部と、前記第１選局部の出力信号を復調してＴＳパケット信号を出力する第１復調部と、前記第１復調部で得られたＴＳパケット信号から、移動受信向けデジタル放送用のパケット信号を抽出する抽出部と、前記抽出部が抽出した信号を、所定の変調信号に変調する変調部と、前記変調部で変調された信号を前記携帯端末に送信する送信部と、を有する。前記携帯端末は、映像信号及び／又は音声信号を出力する映像音声出力部と、前記デジタル放送受信装置の前記送信部からの信号を受信する第２受信部と、前記第２受信部が受信した信号を復調してＴＳパケット信号を出力する第２復調部と、放送波を受信する第３受信部と、前記第３受信部が受信した放送波から、チャンネルの選局を行う第２選局部と、前記第２選局部の出力信号を復調してＴＳパケット信号を出力する第３復調部と、前記第２復調部により得られたＴＳパケット信号、前記第３復調部により得られたＴＳパケット信号のいずれかを選択して出力する選択出力部と、前記選択出力部から出力されたＴＳパケット信号に基づいて、前記映像音声出力部から出力する映像信号及び／又は音声信号を生成する映像音声信号生成部と、を有する。
【００１１】
請求項３の携帯端末は、放送波を受信する第１受信部と、デジタル放送信号を含む無線信号を受信する第２受信部と、映像信号及び／又は音声信号を出力する映像音声出力部と、前記第１受信部が受信した放送波から、所定のチャンネルの放送信号を抽出する選局部と、前記選局部の出力信号を復調してＴＳパケット信号を出力する第１復調部と、前記第２受信部が受信した無線信号を復調してＴＳパケット信号を出力する第２復調部と、前記第１復調部により得られたＴＳパケット信号、前記第２復調部により得られたＴＳパケット信号のいずれかを選択して出力する選択出力部と、前記選択出力部から出力されたＴＳパケット信号に基づいて、前記映像音声出力部から出力する映像信号及び／又は音声信号を生成する映像音声信号生成部と、を有する。
【００１２】
請求項４は、請求項３記載の携帯端末であって、ユーザの入力を受け付ける操作部を有し、前記選択出力部は、前記操作部からの入力に基づいて、出力するＴＳパケット信号を選択する。
【００１３】
請求項５は、請求項３記載の携帯端末であって、前記選択出力部は、前記第１受信部が受信した放送波の信号強度と、前記第２受信部が受信した無線信号の信号強度に基づいて、出力するＴＳパケット信号を選択することを特徴とする。
【００１４】
請求項６は、請求項４記載の携帯端末であって、前記選択出力部は、前記第１復調部、及び、前記第２復調部により得られたＴＳパケット信号に含まれるＳＩ（Ｓｅｒｖｉｃｅ  Ｉｎｆｏｒｍａｔｉｏｎ：番組配列情報）情報及び／又はＰＳＩ（Ｐｒｏｇｒａｍ  Ｓｐｅｃｉｆｉｃ  Ｉｎｆｏｒｍａｔｉｏｎ：番組特定情報）情報が再生できたか否かに基づいて、出力するＴＳパケット信号を選択することを特徴とする。
【００１５】
請求項７は、請求項３ないし６の何れか１項に記載の携帯端末であって、前記選択出力部は、当該携帯端末の電源起動時に、出力するＴＳパケット信号を選択する。
【００１６】
請求項８は、請求項３ないし６の何れか１項に記載の携帯端末であって、前記選択出力部は、当該携帯端末のテレビ視聴モードが起動された時に、出力するＴＳパケット信号を選択する。
【００１７】
請求項９のデジタル放送受信装置は、放送波を受信する受信部と、前記受信部が受信した放送波から、所定のチャンネルの放送信号を抽出する選局部と、前記選局部の出力信号を復調してＴＳパケット信号を出力する復調部と、前記復調部で得られたＴＳパケット信号から、移動受信向けデジタル放送用のパケット信号を抽出する抽出部と、前記抽出部が抽出した信号を、所定の変調信号に変調する変調部と、前記変調部で変調された信号を外部に送信する送信部と、を有する。
【００１８】
前記抽出部は、例えば、前記ＴＳパケット信号のＰＩＤ（Ｐａｃｋｅｔ  ＩＤｅｎｔｉｆｉｅｒ）に基づいて、移動受信向けデジタル放送用のパケット信号を抽出する。
【００１９】
請求項１０は、請求項６記載のデジタル放送受信装置であって、移動受信向けデジタル放送波を受信可能な携帯端末からの信号を受信する第２受信部を有し、前記第２受信部が受信した前記携帯端末からの信号が、デジタル放送信号の送信を要求する旨の信号であったとき、前記送信部は、前記変調部で変調された信号を、前記携帯端末に送信する。
【００２０】
請求項１１は、請求項９又は１０記載のデジタル放送受信装置であって、前記デジタル放送受信装置が使用中であれば、前記携帯端末に対し、当該デジタル放送受信装置が使用中である旨を通知する。
【００２１】
請求項１２は、請求項９ないし１１の何れか１項に記載のデジタル放送受信装置であって、前記携帯端末に対し、当該デジタル放送受信装置により選局されているチャンネルの情報を通知する。
【００２２】
請求項１３は、請求項１１又は１２に記載のデジタル放送受信装置であって、前記携帯端末に対し、当該デジタル放送受信装置により選局されているチャンネルの視聴を希望するか否かを問い合わせる。
【００２３】
請求項１４は、請求項９記載のデジタル放送受信装置であって、移動受信向けデジタル放送波を受信可能な携帯端末からの信号を受信する受信部を有し、前記受信部が受信した前記携帯端末からの信号が、前記選局部により選局されているチャンネルとは異なるチャンネルを指定する信号であったとき、前記選局部は、前記携帯端末からの信号を優先してチャンネルの選局を行う。
【００２４】
請求項１５のデジタル放送受信装置は、放送波を受信する受信部と、前記受信部が受信した放送波から、チャンネルの選局を行う第１選局部、及び第２選局部と、前記第１選局部の出力信号を復調してＴＳパケット信号を出力する第１復調部と、前記第２選局部の出力信号を復調してＴＳパケット信号を出力する第２復調部と、前記第１復調部又は前記第２復調部の何れかで得られたＴＳパケット信号から、移動受信向けデジタル放送用のパケット信号を抽出する抽出部と、前記抽出部が抽出した信号を、外部への送信信号に変調する変調部と、前記変調部で変調された信号を外部に送信する送信部と、移動受信向けデジタル放送波を受信可能な携帯端末からの信号を受信する受信部と、を有し、前記受信部が受信した前記携帯端末からの信号が、前記選局部により選局されているチャンネルとは異なるチャンネルを指定する信号であったとき、前記第１選局部、第２選局部のうち使用中でない選局部により、携帯端末からの信号に基づいてチャンネルの選局を行う。
【００２５】
請求項１６は、請求項９ないし１５の何れか１項に記載のデジタル放送受信装置と通信可能な携帯端末であって、ユーザの入力を受け付ける操作部を有し、前記操作部から入力された、前記ユーザが視聴を希望するチャンネルに関する情報を、前記デジタル放送受信装置へ送信することが可能である、請求項３ないし８の何れか１項に記載の携帯端末である。
【発明の効果】
【００２６】
この発明によれば、コストをかけることなく、屋内でも移動しながら地上波デジタルテレビ放送を受信し、テレビ視聴を行うことが可能な携帯端末を提供することができる。
【発明を実施するための最良の形態】
【００２７】
以下、この発明の実施形態を説明する。
【００２８】
（本願発明が実施される環境）
図１は、本願発明が実施される環境図を示したものである。本願発明のデジタル放送受信機１は、建物５（例えば、家庭）の屋内に設置される。固定ＵＨＦアンテナ３は、建物５の屋上などに設置され、地上デジタルテレビ放送局から送信される放送波を受信する。固定ＵＨＦアンテナ３が受信した地上デジタルテレビ放送波の信号は、有線によりデジタル放送受信機１に送られる。デジタル放送受信機１は、固定ＵＨＦアンテナ３が受信したデジタル放送波の信号から、ユーザにより選局されたチャンネルの地上デジタルテレビ放送を抽出し、これを復調、デコードした結果得られた映像信号をテレビ４へ送る。その結果、ユーザは、テレビ４により、地上デジタルテレビ放送の番組を視聴することが可能となる。
【００２９】
携帯電話機２は、ＵＨＦアンテナを有していて、携帯受信機向けの地上デジタルテレビ放送波を受信し、地上デジタルテレビ放送の番組を再生することが可能である。携帯電話機２は、デジタル放送受信機１から転送された地上デジタルテレビ放送信号をデコードし、デコードした結果得られた映像を、その表示部に表示させることができる。このことにより、ユーザは、固定ＵＨＦアンテナ３から得られた地上デジタルテレビ放送番組を、携帯電話機２により視聴することができる。
【００３０】
また、本願発明のデジタル放送受信機１と、、携帯電話機２はＢｌｕｅｔｏｏｔｈなどによる無線通信が可能である。デジタル放送受信機１は、復調した地上デジタルテレビ放送信号を携帯電話機２へ転送することができる。
【００３１】
携帯電話機２のＵＨＦアンテナによる地上デジタルテレビ放送波の受信感度は、屋内においては悪化する。したがって、屋内では携帯電話機２による地上デジタルテレビ放送の番組を視聴ができない場合が生じる。しかし、上記のように、デジタル放送受信機１から、地上デジタルテレビ放送信号を携帯電話機２へ転送することで、ユーザは、屋内で移動しながらでも移動受信機向け放送を受信し、テレビ視聴を行うことができるようになる。
【００３２】
（デジタル放送受信機１の構成）
図２は、デジタル放送受信機１の構成を示したものである。デジタル放送受信機１は、チューナ１１、復調部１２、ＴＳデマルチプレクサ１３（図ではＴＳ−Ｄｅｍｕｘと表記）、ＭＰＥＧ２デコーダ１４、無線送受信部１５、操作部１６、ＣＰＵ１７、変復調部１８、などを有している。
【００３３】
固定ＵＨＦアンテナ３により受信されたＲＦ信号は、チューナ１１に入力される。チューナ１１では、例えば、操作部１６からの入力に応じた選局を行う。即ち、ユーザが所望するチャンネル（５．６ＭＨｚの帯域）を構成する１３セグメント分の放送信号（固定受信機向け、及び、移動受信機向けの両方の放送信号）を抽出する。
【００３４】
復調部１２は、チューナ１１で選局された信号に対し、ＯＦＤＭ復調を行う。具体的には、アナログ信号をデジタル信号に変換し、これに対し、ＦＦＴ（Ｆａｓｔ  Ｆｏｕｒｉｅｒ  Ｔｒａｎｓｆｏｒｍ：高速フーリエ変換）を行う。そして復調処理（６４ＱＡＭ（Ｑｕａｄｒａｔｕｒｅ Ａｍｐｌｉｔｕｄｅ Ｍｏｄｕｌａｔｉｏｎ）復調など）を行い、誤り訂正を行うことにより、放送局が送り出したＴＳ（Ｔｒａｎｓｐｏｒｔ  Ｓｔｒｅａｍ）パケット信号を生成する。また、この復調部１２は、６４ＱＡＭ方式などで変調された固定受信機向け放送信号と、ＱＰＳＫ（Ｑｕａｄｒａｔｕｒｅ Ｐｈａｓｅ Ｓｈｉｆｔ Ｋｅｙｉｎｇ）方式などで変調された移動受信機向け放送信号の両方を復調することが可能である。
【００３５】
ＴＳデマルチプレクサ（Ｄｅｍｕｌｔｉｐｌｅｘｅｒ：分離回路）１３は、ＴＳパケットを目的別に分離し、所定の処理を行う。具体的には、まず、ＴＳパケットを映像ストリーム、音声ストリーム、データ放送ストリーム、ＳＩ（Ｓｅｒｖｉｃｅ  Ｉｎｆｏｒｍａｔｉｏｎ：番組配列情報） 情報などの目的別のパケット信号に分離する。そして、映像ストリーム、音声ストリームのパケットについては、ＭＰＥＧ２デコーダ１４へ送る。データ放送ストリームのパケットについては、ＣＰＵ１７へ送る。ＳＩ情報は、ＣＰＵ１７で処理され、ＥＰＧ（Ｅｌｅｃｔｒｏｎｉｃ  Ｐｒｏｇｒａｍ  Ｇｕｉｄｅ）や選局処理等に使用される。 また、外部（例えば、携帯電話機２）からの要請があった場合、映像ストリーム、音声ストリームのパケットを外部に送信するための信号を生成する、変復調部１８へ出力することも可能である。
【００３６】
ＭＰＥＧ２デコーダ１４は、ＴＳデマルチプレクサ１３から与えられたデータストリームを受けて、映像信号および音声信号へと変換する。変換して得られた映像信号、音声信号はテレビ４へ送信される。ユーザは、テレビ４により、地上デジタルテレビ放送を視聴することができる。
【００３７】
無線送受信部１５は、外部に対して無線信号による通信を行う。変復調部１８は、無線送受信部１５から送信される信号を生成するための変調や、無線送受信部１５が受信した信号の復調などを行う。例えば、ＴＳデマルチプレクサ１３での分離により得られた移動受信機向けのＴＳパケット信号は、変復調部１８により無線伝送に適した信号に変調して、無線送受信部１５から携帯電話機２などに対して送信することができる。また、携帯電話機２から送信されてきた無線信号は、変復調部１８により、ＣＰＵ１７が解読可能な信号に復調される。なお、デジタル放送受信機と、携帯電話機２との無線通信においては、例えばＢｌｕｅｔｏｏｔｈ方式などが使用される。
【００３８】
操作部１６は、デジタル放送受信機１の操作ボタン、或いはデジタル放送受信機１に付属のリモコンなどであり、ユーザからの入力を受け付ける。
【００３９】
（チューナ１１、復調部１２の詳細な構成）
図３は、チューナ１１、復調部１２の詳細な構成を示す図である。
【００４０】
チューナ１１は、周波数変換部８０１０、ＩＦフィルタ８０１２、ダウンコンバータ８０１５などを有する。固定ＵＨＦアンテナ３により受信されたＲＦ信号は、周波数変換部８０１０に入力される。
【００４１】
周波数変換部８０１０では、ＲＦ信号が中間周波数（ＩＦ周波数）にダウンコンバートされ、ＩＦフィルタ８０１２において所望の周波数を抜き出した後、ダウンコンバータ８０１５においてベースバンド信号に変換される。そして、ベースバンド信号に変換された信号は、復調部１２のアナログ／デジタル変換部８０１６に入力される。
【００４２】
復調部１２のアナログ／デジタル変換部８０１６では、アナログ信号をデジタル信号に変換するとともにヒルベルト変換等を用いて、実軸（以下、「Ｉ軸」と呼ぶ）成分の信号（同相検波軸信号）と、虚軸（以下、「Ｑ軸」と呼ぶ）成分の信号（直交検波軸信号）とを高速フーリエ変換部（以下、「ＦＦＴ部」と呼ぶ）８０１７に出力する。
【００４３】
ＦＦＴ部８０１７では、入力信号に対して高速フーリエ変換を行ない、時間軸データを周波数軸データに変換して、周波数デインタリーブ部８０１８に出力する。
【００４４】
周波数デインタリーブ部８０１８では、電波の反射などによる特定周波数の信号の欠落を補うために行われた周波数インタリーブを元に戻す処理を行なう。
【００４５】
周波数デインタリーブ部８０１８の出力は、時間デインタリーブ部８０１９に与えられ、時間デインタリーブ部８０１９は、対フェージングなどのために施された時間インタリーブを元に戻す処理を行なう。
【００４６】
時間デインタリーブが行なわれたＩ軸成分の信号およびＱ軸成分の信号は、デマッピング部８０２０において、２ビット（ＱＰＳＫの場合）、４ビット（１６ＱＡＭの場合）または６ビット（６４ＱＡＭの場合）の信号にそれぞれ変換される。
【００４７】
デマッピングが行なわれた信号は、誤り耐性を増加させる目的で行なわれたビットインタリーブを、ビットデインタリーブ部８０２１において解除した後、送信側で行われた畳込み符号を用いてビタビ復号部８０２２により誤り訂正を行なう。
【００４８】
ビタビ復号が行なわれた信号は、ビットインタリーブ部同様に、誤り耐性を増加させる目的で行なわれたバイトインタリーブをバイトインタリーブ部８０２３において解除した後、リードソロモン復号（以下、「ＲＳ復号」と呼ぶ）をＲＳ復号部８０２４において行ない誤り訂正を行なう。
【００４９】
ＲＳ復号部８０２４において誤り訂正された信号は、ＴＳデマルチプレクサ１３に入力される。
【００５０】
地上デジタル放送信号には、伝送方式情報等が記述されているＴＭＣＣ（Ｔｒａｎｓｍｉｓｓｉｏｎ ａｎｄ Ｍｕｌｔｉｐｌｅｘｉｎｇ Ｃｏｎｆｉｇｕｒａｔｉｏｎ  Ｃｏｎｔｒｏｌ）が含まれている。例えば、放送信号が移動受信用であるのか、固定受信用であるのか、或いは、１つのチャンネルの放送信号を構成する１３セグメントのうちのどのセグメントであるのか、を示す情報がＴＭＣＣには含まれている。
【００５１】
したがって、例えば、このＴＭＣＣ情報により移動受信用の信号を抽出して、その抽出された信号を無線送受信部１５から外部に送信することが可能である。或いは、このＴＭＣＣ情報により、前記１３セグメントのうちの中央の１セグメントの信号を抽出して、その抽出された信号を無線送受信部１５から外部に送信するようにしても良い。
【００５２】
ＴＭＣＣ復号部８０２８において抽出されたＴＭＣＣの情報により、ＦＦＴ部８０１７で周波数軸データに変換された信号が、移動受信用の信号であり、ＱＰＳＫ変調されたものと判断された場合、時間デインタリーブ部８０１９からの出力は、デマッピング部８０２０により２ビットの信号に変換される。固定受信用の信号であり、６４ＱＡＭ変調されたものと判断された場合、時間デインタリーブ部８０１９からの出力は、デマッピング部８０２０により６ビットの信号に変換される。
【００５３】
（ＴＳパケットの構成）
次に復調部１２での復調により得られる（再生される）ＴＳパケットについて説明する。ＴＳパケットは、１８８バイトの固定長のパケットである。ＴＳパケットは、パケットヘッダ、アダプテーションフィールド、ペイロード（データ部）からなる。映像信号や音声信号などは、ペイロードに収められて伝送される。アダプテーションフィールドには、ＰＣＲ（Ｐｒｏｇｒａｍ  Ｃｌｏｃｋ  Ｒｅｆｅｒｅｎｃｅ）と呼ばれる、１つの番組の基準となる時刻情報などが収められている。
【００５４】
ＴＳのペイロードには、ストリームに含まれている番組と、その番組の構成を示す情報が収められる。これらは、番組配列情報（ＰＳＩ：Ｐｒｏｇｒａｍ  Ｓｐｅｃｉｆｉｃ  Ｉｎｆｏｒｍａｔｉｏｎ）と呼ばれ、ＰＡＴ（Ｐｒｏｇｒａｍ  Ａｓｓｏｃｉａｔｉｏｎ  Ｔａｂｌｅ）、ＰＭＴ（Ｐｒｐｇｒａｍ  Ｍａｐ  Ｔａｂｌｅ）、ＮＩＴ（Ｎｅｔｗｏｒｋ  Ｉｎｆｏｒｍａｔｉｏｎ  Ｔａｂｌｅ）、ＣＡＴ（Ｃｏｎｄｉｔｉｏｎａｌ  Ａｃｃｓｅｓｓ  Ｔａｂｌｅ）の４種類が規定されている。
【００５５】
また、このＴＳパケット信号には、映像信号、音声信号のパケットの他に、データ放送やＥＰＧ（Ｅｌｅｃｔｒｏｎｉｃ  Ｐｒｏｇｒａｍ  Ｇｕｉｄｅ）、選局に必要な情報（ＳＩ情報、ＰＳＩ情報）などが含まれている。
【００５６】
ＭＰＥＧ−２システムのＴＳでは、マルチプログラムの各ＥＳ（Ｅｌｅｍｅｎｔａｒｙ  Ｓｔｒｅａｍ、エレメンタリー・ストリーム。オーディオやビデオのデータをＭＰＥＧ−２で圧縮符号化したデータ）を、それぞれ、ＰＩＤ（Ｐａｃｋｅｔ  ＩＤｅｎｔｉｆｉｅｒ、パケット識別子）という、ＴＳパケットヘッダの１３ビットの識別子で割り振っている。このＰＩＤは、ＭＰＥＧ−２では０ｘ００１０〜０ｘ１ＦＦＥ（１６進数字、１０進数では１６から８１９０に相当）の間ならば、各ＥＳをどのＰＩＤに割り振ることができる。但し、国ごとの放送規格によって、ＰＩＤの放送局への割り振り方や、ＥＳの種類による割り振りが決められている。例えば、映像データ、音声データ、ＰＭＴ、ＰＡＴのＴＳパケットに対しては、それぞれ異なるＰＩＤが割り振られている。デジタル放送受信機１のＴＳデマルチプレクサ１３、或いは、後述する携帯電話機２のＴＳデマルチプレクサ２３は、ＴＳパケットのＰＩＤに基づいて、ＴＳパケットを選択、分類し、それぞれに対して所定の処理を行う。例えば、ＴＳパケットが映像データ、音楽データのパケットであれば、ＴＳパケットをＭＰＥＧデコーダ１４へ送信する。
【００５７】
また、地上デジタルテレビ放送では、１つの伝送チャンネルで複数の番組を同時に放送することが可能なので、複数の番組が同じＴＳとして送られてくることがある。しかし、固定受信機向けの地上デジタルテレビ放送信号と、携帯受信機向けの地上デジタルテレビ放送信号とは、異なるＰＩＤが割り振られている。そこで、デジタル放送受信機１のＴＳデマルチプレクサ１３は、携帯受信機向けの地上デジタルテレビ放送信号のＰＩＤを有するＴＳパケットについては、変復調部１８に出力する。変復調部１８に出力されたＴＳパケットは、無線送受信部１５から携帯電話機２に送信される。このことにより、携帯電話機２のユーザは、デジタル放送受信装置１が受信した地上デジタル放送の番組を携帯電話機２により視聴することが可能となる。
【００５８】
（携帯電話機２の構成）
図４は、携帯電話機２の構成を示したものである。携帯電話機２は、チューナ２１、復調部２２、ＴＳデマルチプレクサ２３、Ｈ.２６４デコーダ２４、表示部２５、無線送受信部２６、操作部２７、ＣＰＵ２８、アンテナ２９、ＭＰＥＧ−ＡＡＣデコーダ３０、スピーカ３１、変復調部３２などを有している。
【００５９】
アンテナ２９は、地上デジタルテレビ放送局から送信されてきた地上デジタルテレビ放送波を受信する。アンテナ２９が受信したＲＦ信号は、チューナ２１に入力される。チューナ２１では、操作部２７からの入力に応じた選局を行う。このチューナ２１は、ユーザが所望するチャンネル（５．６ＭＨｚの帯域）を構成する１３セグメントの放送信号のうち、中央に配置された１セグメントの放送信号を抽出する。
【００６０】
復調部２２は、チューナ２１で選局された信号に対し、ＯＦＤＭ復調を行う。具体的には、アナログ信号をデジタル信号に変換し、これに対し、ＦＦＴ（Ｆａｓｔ  Ｆｏｕｒｉｅｒ  Ｔｒａｎｓｆｏｒｍ：高速フーリエ変換）を行い、６４ＱＡＭ方式（などによる）復調を行い、そして誤り訂正を行うことにより、放送局が送り出したＴＳ（Ｔｒａｎｓｐｏｒｔ  Ｓｔｒｅａｍ）パケット信号を生成する。
【００６１】
ＴＳデマルチプレクサ２３は、ＴＳパケットを目的別に分離し、所定の処理を行う。例えば、映像に係るパケット信号については、Ｈ.２６４デコーダ２４へ送る。音声に係るパケット信号については、ＭＰＥＧ−ＡＡＣデコーダ３０へ送る。データ放送の信号については、ＣＰＵ２８へ送る。
【００６２】
Ｈ.２６４デコーダ２４は、ＴＳデマルチプレクサ２３から与えられたデータストリームを受けて、映像信号に変換する。変換して得られた映像信号は表示部２５へ送信される。ユーザは、表示部２５により、地上デジタルテレビ放送を視聴することができる。
【００６３】
ＭＰＥＧ−ＡＡＣデコーダ３０は、ＴＳデマルチプレクサ２３から与えられたデータストリームを受けて、音声信号に変換する。変換して得られた音声信号はスピーカ３１へ送信される。
【００６４】
無線送受信部２６は、外部に対して無線信号による通信を行う。変復調部３２は、無線送受信部２６から送信される信号を生成するための変調や、無線送受信部２６が受信した信号の復調などを行う。例えば、無線送受信部２６は、デジタル放送受信機１から送信されてきた移動受信用のデジタル放送のＴＳパケットの無線信号を受信し、変復調部３２によりＣＰＵ２８が解読可能な信号に復調される。また、携帯電話機２のユーザにより操作部２７から入力された情報は、変復調部３２により無線信号に変調されて、無線送受信部２６からデジタル放送受信機１に送信される。
【００６５】
操作部２７は、携帯電話機２の操作ボタンなどであり、ユーザからの入力を受け付ける。
【００６６】
また、本実施形態では、携帯電話機２をデジタル放送受信機１のリモコンとして機能させることが可能である。即ち、ユーザは、操作部２７からの入力信号をデジタル放送受信機１へ転送することにより、デジタル放送受信機１を操作したり、デジタル放送受信機１に対する指示や要求を送ったりすることができる。
【００６７】
（使用例）
以下に、上記構成を用いた使用例を説明する。
【００６８】
図５を参照して、携帯電話機２における動作を説明する。携帯電話機２の使用者が操作部２７の操作により、地上波デジタルテレビ放送の視聴を選択すると（ステップＳ０１）、ステップＳ０４では、アンテナ２９が受信した、地上波デジタルテレビ放送波の信号強度が測定され、信号強度が所定値以上であれば受信感度良と判断し、アンテナ２９が受信した放送波に基づいた、移動受信機向け地上波デジタルテレビ放送信号の再生が行われる（ステップＳ０６）。信号強度が所定値未満であれば受信感度悪と判断し、ステップＳ０８へ進む。
【００６９】
ステップＳ０８では、近辺にデジタル放送受信機１があるかどうかが調べられる。具体的には、無線信号送信部３０はデジタル放送受信機１に向けて通信要求信号を送信する。それに対するデジタル放送受信機１からの応答信号を無線送受信部２６が受信すると、携帯電話機２は近辺にデジタル放送受信機１があるものと認識し、ステップＳ１１へ進む。デジタル放送受信機１からの応答信号を無線送受信部２６が受信できなかった場合、表示部２５には、地上波デジタルテレビ放送信号の視聴が不可能である旨のメッセージが表示される（ステップＳ１０）。
【００７０】
ステップＳ１１では、表示部２５にチャンネル選局を要求する旨のメッセージが表示される。使用者は、操作部２７の操作により、所望のチャンネルを選局する。
【００７１】
ステップＳ１２では、デジタル放送受信機１に対し、デジタル放送受信機１が受信した地上波デジタルテレビ放送信号を、携帯電話機２に転送するよう要求する信号を送信する。このとき、操作部２７により選局されたチャンネル情報も、デジタル放送受信機１に送信される。
【００７２】
ステップＳ１３では、デジタル放送受信機１が使用中であるかどうかを示すメッセージ信号がデジタル放送受信機１から送信され、表示部２５に表示される。デジタル放送受信機１が使用中であれば（ステップＳ１３のｙｅｓ）、ステップＳ１４へ進む。デジタル放送受信機１が使用中で無ければ（ステップＳ１３のｎｏ）、ステップＳ１５へ進む。
【００７３】
ステップＳ１４では、デジタル放送受信機１が受信中のチャンネルやそのチャンネルの番組に関する情報が、デジタル放送受信機１から送信され、表示部２５に表示される。携帯電話機２の使用者は、デジタル放送受信機１が受信中のチャンネルの視聴を希望する場合（デジタル放送受信機１が受信中のチャンネルの視聴であっても構わない場合、ステップＳ１４のｙｅｓ）、ステップＳ１５へ進む。デジタル放送受信機１が受信中のチャンネルの視聴を希望しない場合、地上波デジタルテレビ放送の視聴は不可能である旨のメッセージが表示部２５に表示される（ステップＳ１７）。
【００７４】
ステップＳ１５では、デジタル放送受信機１から送信されてきたＴＳパケット信号を受信する。このＴＳパケット信号は、ステップＳ１２でデジタル放送受信機１に対して送信した要求信号に対応するものである。
【００７５】
ステップＳ１６では、前記のＴＳパケット信号のうち、映像パケットについては、Ｈ．２６４デコーダ２４によりデコードされ、映像信号が生成される。音声パケットについては、ＭＰＥＧ−ＡＡＣデコーダ３０によりデコードされ、音声信号が生成される。そして、ステップＳ１８では、Ｈ．２６４デコーダ２４で生成された映像信号が表示部２５に表示される。また、ＭＰＥＧ−ＡＡＣデコーダ３０で生成された音声信号は、スピーカ３１から出力される。
【００７６】
以上が、一使用例における携帯電話機２における動作である。上記では、まず地上波デジタルテレビ放送波の信号の受信感度を調べ、受信感度が悪い場合は、近辺にデジタル放送受信機１が有るか否かを調べていた。これに代わり、地上波デジタルテレビ放送波の信号の受信感度と、近辺にあるデジタル放送受信機１から送信される無線信号の受信感度とを比較し、受信感度が優れている側からデジタル放送信号を獲得するようにしても良い。
【００７７】
受信感度の判定は、上述したようなアンテナ２９の受信信号の強度に基づくものに限られない。例えば、エラーレートに基づくものであっても良い。
【００７８】
或いは、ＴＳパケット信号に含まれるＳＩ（Ｓｅｒｖｉｃｅ  Ｉｎｆｏｒｍａｔｉｏｎ：番組配列情報）情報及び／又はＰＳＩ（Ｐｒｏｇｒａｍ  Ｓｐｅｃｉｆｉｃ  Ｉｎｆｏｒｍａｔｉｏｎ：番組特定情報）情報が取得できたか否か（正しく解読できたか否か）に基づいて、判定するものであっても良い。このＳＩ情報、ＰＳＩ情報は、放送局での符号化においてＣＲＣ（Ｃｙｃｌｉｃ  Ｒｅｄｕｎｄａｎｃｙ  Ｃｈｅｃｋ）符号が付加されて伝送される。したがって、ＳＩ情報、ＰＳＩ情報を含むデータを、（携帯電話機２側で）所定の生成多項式で除算することにより、ＳＩ情報、ＰＳＩ情報が携帯電話機２に正しく伝送されたかどうかを知ることができる。例えば、除算の結果得られた余りが０であれば正常伝送とみなす。このように、ＳＩ情報、ＰＳＩ情報等の、任意の情報が正常伝送されたかどうかに基づいて、地上波デジタルテレビ放送波の信号を選択するか、近辺にあるデジタル放送受信機１から送信される無線信号を選択するかを決定するようにしても良い。
【００７９】
或いは、携帯電話機２の使用者による操作部２７からの入力に基づいて、いずれかの信号を選択するようにしても良い。
【００８０】
また、上記例では、地上波デジタルテレビ放送信号の受信感度の測定は、アンテナ２９が受信した放送波（ＲＦ信号）の強度に基づいて判定していたが、チューナ２１により選局が行われた後の信号の強度に基づいて判定しても良い。そうすることにより、視聴を希望するチャンネルの信号の受信感度をより正確に判定することが可能となる。
【００８１】
また、上記例では、受信感度の測定は、テレビ視聴モードの起動時に行うものとして説明したが、視聴中も絶えず測定を行うものであっても良い。そして、受信感度が低下したことを検知したら、携帯電話機２のアンテナ２９が受信した信号を採用するか、無線送受信部２６が受信したデジタル放送受信機１からの信号を採用するかを即座に（適応的に）切り替えるものであっても良い。或いは、携帯電話機２の電源をオンにしたときに受信感度の測定等を行うことで、上記いずれの信号を採用するかを決定するようにしても良い。
【００８２】
また、上記例では、デジタル放送受信機１が使用中の場合、携帯電話機２のユーザは、デジタル放送受信機１で選局されているチャンネルの番組しか視聴できないが、これに代えて、デジタル放送受信機１は、携帯電話機２からの指示を優先してチャンネルを選局するようにしても良い。即ち、携帯電話機２は、地上波デジタル放送番組を視聴する機能と、デジタル放送受信機１における選局を制御するリモコンの機能とを兼ねるものであっても良い。
【００８３】
次に、図６を参照して、上記使用例における、デジタル放送受信機１での動作を説明する。
【００８４】
携帯電話機２から、地上波デジタルテレビ放送信号の転送要求があったとき（ステップＳ３０）、デジタル放送受信機１が使用中であれば（ステップＳ３２のｙｅｓ）、デジタル放送受信機１が使用中である旨のメッセージ、及びデジタル放送受信機１が受信中のチャンネル、或いは番組に関する情報を携帯電話機２に送信する（ステップＳ３６）。
【００８５】
一方、デジタル放送受信機１が使用中でない場合は（ステップＳ３２のｎｏ）、携帯電話機２からの要求に応じたチャンネルが、チューナ１１により選局され、復調部１２で復調され、ＴＳデマルチプレクサ１３で、移動受信機向けのパケット信号が抽出され、抽出されたパケット信号が無線送受信部１５から携帯電話機２に送信される（ステップＳ３４）。
【００８６】
ステップＳ３８では、ステップＳ３６で携帯電話機２に送信した信号に対する、携帯電話機２からの応答（回答）信号を受信する。携帯電話機２からの回答が、デジタル放送受信機１が受信中のチャンネルの視聴でも良い、という場合は（ステップＳ３８のｙｅｓ）、ステップＳ４２に進む。携帯電話機２からの回答が、デジタル放送受信機１が受信中のチャンネルの視聴を希望しない、という場合は（ステップＳ３８のｎｏ）、携帯電話機２への地上波デジタルテレビ放送信号の転送は不可能である旨のメッセージ信号を携帯電話機２に送信する（ステップＳ４０）。
【００８７】
ステップＳ４２では、デジタル放送受信機１が受信中であるチャンネルの放送信号のうち、移動体向け放送信号に係るＴＳパケット信号を、携帯電話機２へ転送する。
【００８８】
（セグメントレベルでの信号分離）
上記実施形態では、デジタル放送受信機１は、ＴＳパケット信号のＰＩＤにより、移動受信機向け地上波デジタルテレビ放送信号に係るパケット（１セグのパケット）を分離し、携帯電話機２へ転送していた。
【００８９】
これに対し、デジタル放送受信機１は、復調部１２のＴＭＣＣ復号部８０２８において抽出されたＴＭＣＣの情報により、移動受信機向け地上波デジタルテレビ放送信号に係るセグメントを抽出しても良い。そして、この抽出されたセグメントの信号（移動受信向けの１セグメント信号）を携帯電話機２へ転送するものであっても良い。
【００９０】
例えば、図３に示したＴＭＣＣ復号部８０２８において抽出されたＴＭＣＣの情報により、ＦＦＴ部８０１７で周波数軸データに変換された信号が移動受信用の信号であると認識し、復調部１２からの出力（ＲＳ復号部２４からの出力）を、ＴＳデマルチプレクサ１３と、変復調部１８の両方に入力するようにする。変復調部１８に入力された信号（ＴＳパケット信号に相当する）は、無線送受信部１５から携帯電話機２へ送信することが可能である。一方、ＦＦＴ部８０１７で周波数軸データに変換された信号が固定受信用の信号であると認識したとき、復調部１２からの出力は、ＴＳデマルチプレクサ１３に入力されるが、変復調部１８には入力されない。
【００９１】
なお、ＲＳ復号部８０２４からの出力を携帯電話機２へ送信する代わりに、ＦＦＴ部８０１７の出力を携帯電話機２へ送信しても良いし、或いはデマッピング部２４の出力を携帯電話機２へ送信しても良い。
【００９２】
（複数のチューナを設けたデジタル放送受信機）
上記実施形態のデジタル放送受信機１は、チューナを１つしか有していないため、デジタル放送受信機１が使用中である場合、携帯電話機２のユーザは、デジタル放送受信機１が受信中のチャンネルしか視聴することができない。そこで、デジタル放送受信機１にチューナを複数設けることにより、デジタル放送受信機１が使用中であっても、携帯電話機２のユーザは、ユーザが所望するチャンネルの番組を視聴することが可能となる。このとき、使用されていないチューナにより、ユーザが所望するチャンネルが選局される。
このとき、それぞれのチューナ１１が受信した信号を復調してＴＳパケット信号を生成する復調部１２は、複数あっても良いし、１つであっても良い。復調部１２が１つである場合、復調部１２は、時分割でそれぞれのチューナからの出力信号に対する処理を行う。
【００９３】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００９４】
【図１】本願発明が実施される環境図を示したものである。
【図２】デジタル放送受信機１の構成を示したものである。
【図３】チューナ１１、復調部１２の詳細な構成を示す図である。
【図４】携帯電話機２の構成を示したものである。
【図５】携帯電話機２における動作を説明するフローチャートである。
【図６】デジタル放送受信機１における動作を説明するフローチャートである。
【符号の説明】
【００９５】
１  デジタル放送受信機
２  携帯電話機
１１  チューナ
１２  復調部
１３  ＴＳデマルチプレクサ
１４  ＭＰＥＧ２デコーダ
１５  無線送受信部
１６  操作部
１７  ＣＰＵ
１８  変復調部
２１  チューナ
２２  復調部
２３  ＴＳデマルチプレクサ
２４  Ｈ.２６４デコーダ
２５  表示部
２６  無線送受信部
２７  操作部
２８  ＣＰＵ
２９  アンテナ
３０  ＭＰＥＧ−ＡＡＣデコーダ
３１  スピーカ
３２  変復調部
【図１】
2006165934.tif 000003
【図２】
2006165934.tif 000004
【図３】
2006165934.tif 000005
【図４】
2006165934.tif 000006
【図５】
2006165934.tif 000007
【図６】
2006165934.tif 000008